(57)【要約】      （修正有）【課題】絵柄や文字を適正な位置に装着し且つ使用時の装着状態を安定にさせるブックカバーを提供する。【解決手段】本に対して表紙、背表紙及び裏表紙を覆うように装着されるカバー本体ａと、カバー本体ａの上端側から下端側に架け渡される一対の帯体ｃとから構成されている。カバー本体ａは、矩形状に形成されている。カバー本体ａの横幅は、本の表紙側の小口から背表紙を通って裏表紙側の小口までの横幅よりも長い横幅になっており、カバー本体の縦幅は、本の縦幅よりも長い縦幅になっている。カバー本体の表側には、中央から横幅方向にずらして位置付けられるように図柄ｂが描かれている。【選択図】図６
0003183489.tif 000002
【実用新案登録請求の範囲】
【請求項１】
本の一方側の小口から他方側の小口までの横幅よりも長い横幅を有し、かつ、本の縦幅と同一の縦幅又は該本の縦幅よりも長い縦幅を有するカバー本体と、カバー本体の横幅方向の両端部裏面側に該カバー本体の上端側から下端側へと架け渡される一対の帯体とを備えており、帯体の上端と下端とがカバー本体に固定されて該帯体と該カバー本体との間に横幅方向に貫く通孔が形成されており、通孔の縦幅が本の縦幅と同一又は該本の縦幅よりも長いことを特徴とするブックカバー。
【請求項２】
カバー本体の横幅方向の先端側に位置付けられる通孔の開口から本の小口が差し込まれる請求項１記載のブックカバー。
【請求項３】
カバー本体の厚みよりも帯体の厚みが薄い請求項１又は２のいずれかに記載のブックカバー。
【考案の詳細な説明】
【考案の詳細な説明】
【技術分野】
【０００１】  この考案はブックカバーに関するものである。
【背景技術】
【０００２】  従来のブックカバーは両端を内側に折り曲げ、本の表裏表紙小口内側に折挟むものが一般的である。【０００３】  この方法では装着後の安定性に欠ける。そこで、装着後の安定性を確保するために工夫を凝らしたブックカバーが多数考案されている。【０００４】  例えば、実用新案登録第３１５４４１０号公報には横長四角形からなる紙製カバーシートの上下縁より少し内側に内向きに折りたたむための内向き折り畳み手段を設けると共に前期カバーシートの左右端氏縁から少し内側に前期折り畳み手段に上下端を可及的に接近させて表表紙と裏表紙をそれぞれ挿し込むためのスリットを形成して成るブックカバーが開示されている。
【先行技術文献】
【非特許文献１】実用新案登録第３１５４４１０号
【考案の概要】
【考案が解決しようとする課題】
【０００５】  しかし実用新案登録第３１５４４１０号公報に開示されたブックカバーはカバーシートの左右端縁から少し内側に折り畳手段を本の表紙を挿し込むスリットを入れ、本の表紙を挿し込むとカバーシート素材と本の表紙がクロス状に交差することになり、本の表紙素材に折り曲げ圧力がかかり、悪影響を与え問題があった。【０００６】  そこで本考案は、本の表紙に折り曲げ圧力がかかり難く、且つ本の小口から背までの表紙幅と背の厚みに関係なく装着を必要とする適正な位置に装着できるブックカバーを提供することを技術課題として研究開発を行い、次の考案を開発した。
【課題を解決するための手段】
【０００７】  本考案に係るブックカバーは、本の一方側の小口から他方側の小口までの横幅よりも長い横幅を有し、かつ、本の縦幅と同一の縦幅又は該本の縦幅よりも長い縦幅を有するカバー本体と、カバー本体の横幅方向の両端部裏面側に該カバー本体の上端側から下端側へと架け渡される一対の帯体とを備えており、帯体の上端と下端とがカバー本体に固定されて該帯体と該カバー本体との間に横幅方向に貫く通孔が形成されており、通孔の縦幅が本の縦幅と同一又は該本の縦幅よりも長いものである。【０００８】  本考案は、前記ブックカバーにおいて、カバー本体の横幅方向の先端側に位置付けられる通孔の開口から本の小口が差し込まれるものである【０００９】  本考案は、前記いずれかのブックカバーにおいて、カバー本体の厚みよりも帯体の厚みが薄いものである。【００１０】  本考案は、前記いずれかのブックカバーにおいて、カバー本体の表面側に文字、図柄、模様が描かれているものである。
【考案の効果】
【００１１】  カバー本体の厚みよりも帯体の厚みを薄くすることにより、本の表紙不当な曲げ圧力を軽減し、該表紙をより綺麗に保つことが可能となる。【００１２】  カバー本体の表面側に文字、図柄、模様を描きカバーの装飾性および嗜好性を高めた時、これらの文様を本の背の厚さ、表紙幅の寸法に自由に対応し、適正な位置に配置装着することが可能となる。
【考案を実施するための最良の形態】
【実施例】
【００１３】  本考案に係るブックカバーは、図１又は図２に示すように、本に対して表紙、背表紙及び裏表紙を覆うように装着されるカバー本体と、カバー本体の上端側から下端側に架け渡される一対の帯体とから構成されている。【００１４】  カバー本体は、矩形状に形成されている。カバー本体の横幅は、本の表紙側の小口から背表紙を通って裏表紙側の小口までの横幅よりも長い横幅になっており、カバー本体の縦幅は、本の縦幅よりも長い縦幅になっている。カバー本体の表側には、中央から横幅方向にずらして位置付けられるように図柄が描かれている。【００１５】  カバー本体を構成する素材としては、布、紙、合成樹脂製のフィルムなどを使用すればよい。【００１６】  一対の帯体は、カバー本体の横幅方向の両端部裏側に位置付けられ、カバー本体の上端側から下端側へと架け渡されている。そして、帯体の上端がカバー本体の上端に固定されており、帯体の下端がカバー本体の下端に固定されている。これにより、帯体とカバー本体との間に横幅方向に貫く通孔が形成される。なお、通孔の縦幅は、本の縦幅よりも長くなっている。また、帯体はカバー本体に対し、帯体の横幅方向の一端はカバー本体の横幅方向の一端に一致するように固定されている。【００１７】  帯体を構成する素材としては、布、紙、合成樹脂製のフィルムなどを使用すればよい。また、帯体を構成する素材は、薄い素材の方が好ましい。【００１８】  次に、本考案に係るブックカバーの使用方法を説明する。【００１９】  先ず、カバー本体の横幅方向の一方側端部に固定された帯体によって形成された通孔に対して該通孔の先端側の開口から本の表紙側小口を挿入する。この時、本の表紙と本の中頁との間にカバー本体が挟まれるように位置付ける。【００２０】次に、カバー本体を本の表紙表面、背表紙表面及び裏表紙表面を覆うように位置付けた後、カバー本体の横幅方向の他方側端部に固定された帯体によって形成された通孔に対して該通孔の先端側の開口から本の裏表紙側小口を挿入する。【００２１】最後に、カバー本体の表面に描かれた図柄が本の表紙又は裏表紙の適正な状態に位置するように本に対してブックカバー全体をずらす。【００２２】  本考案に係るブックカバーの別の実施の形態は、先の実施例の変形例であり、図７  において、図１〜  図６と同一部分は、同一又は相当部分を示している。【００２３】  先の実施例の変形例であるブックカバーは、帯体を構成する素材がカバー本体を構成する素材よりも薄い素材によって形成されている。【００２４】  先の実施例の変形例であるブックカバーは、本に装着した際に、本の表紙及び裏表紙とカバー本体との間に挟まれる帯体が薄いため、本の表紙及び裏表紙に折れ目が付きにくくなり、また、カバー本体は厚い素材であるため本を確実に保護できる。
【図面の簡単な説明】
【図１】  本考案に係るブックカバーの表面である。
【図２】  本考案に係るブックカバーの裏面である。
【図３】  本考案に係るブックカバーの裏面長端部輪状図である。
【図４】  本考案に係るブックカバーに本表紙の小口部を挿入した状態図である。
【図５】  本考案に係るブックカバーの装着図表面である。
【図６】  本考案に係るブックカバーの装着図斜面である。
【図７】  本考案に係るブックカバーの装着図断面である。
【符号の説明】ａ  ブックカバー表面
ｂ  絵柄
ｃ  表紙通孔用輪状帯
ｄ  ブックカバー裏面
ｅ  本表紙小口挿入部
ｆ  本の背
ｇ  本の表紙
ｈ  本の表紙小口
ｉ  本のページ
ｊ  ブックカバー素材
ｋ  表紙通孔用輪状の薄い素材帯
【図１】
0003183489.tif 000003
【図２】
0003183489.tif 000004
【図３】
0003183489.tif 000005
【図４】
0003183489.tif 000006
【図５】
0003183489.tif 000007
【図６】
0003183489.tif 000008
【図７】
0003183489.tif 000009